(57)【要約】【課題】記録媒体の映像内容と表示内容との間に不一致が生じるのを防止する。【解決手段】記録装置１は、電波供給源１００からの放送波Ｅを受信し、その受信した番組映像を記録媒体Ｄに録画するとともに、上記録画する映像内容に対応した画像Ｓ1を記録媒体Ｄに印刷し、印刷画像付き記録媒体Ｄ1を作成する。これにより、記録媒体Ｄに記録された映像の内容を視覚的に鮮明に表示して操作者に確実に認知させることができ、ラベルを貼り付ける場合のように貼り付け間違いによる映像内容と表示内容との不一致が生じるのを確実に防止できる。【選択図】図１
2009049446.tif 000002
【特許請求の範囲】
【請求項１】
記録媒体に映像情報を記録する映像記録手段と、
この映像記録手段で前記記録媒体に記録された前記映像情報に対応付けられた画像を前記記録媒体に印刷する画像印刷手段と
を有することを特徴とする記録装置。
【請求項２】
請求項１記載の記録装置において、
テレビジョン放送の映像信号を外部より入力する映像信号入力手段と、
複数の前記画像を格納保持する画像記憶手段と、
前記画像記憶手段に格納保持された前記複数の画像のうち、前記映像信号入力手段で入力した前記映像信号に対応した画像を選択する画像選択手段とを有し、
前記映像記録手段は、前記映像信号入力手段で入力した前記映像信号に対応した前記映像情報を記録し、
前記画像印刷手段は、前記画像選択手段で選択された前記画像を印刷することを特徴とする記録装置。
【請求項３】
請求項２記載の記録装置において、
前記映像信号入力手段で入力した前記映像信号に対応した前記映像情報と、前記画像選択手段で選択した前記画像に対応した画像情報とを、互いに関連付けて記憶媒体に記憶させる第１記憶処理手段を有し、
前記映像記録手段は、前記記憶媒体から読み出された前記映像情報を記録し、
前記画像印刷手段は、前記記憶媒体から読み出された前記画像情報に対応する前記画像を印刷する
ことを特徴とする記録装置。
【請求項４】
請求項２記載の記録装置において、
前記映像信号入力手段で入力した前記映像信号に対応した前記映像情報を記憶媒体に記憶させる第２記憶処理手段を有し、
前記画像選択手段は、前記画像記憶手段に格納保持された前記複数の画像のうち、前記記憶媒体から読み出された前記映像情報に対応したものを選択し、
前記映像記録手段は、前記記憶媒体から読み出された前記映像情報を記録し、
前記画像印刷手段は、前記画像選択手段で選択された前記画像を印刷する
ことを特徴とする記録装置。
【請求項５】
請求項１記載の記録装置において、
テレビジョン放送の映像信号を外部より入力する映像信号入力手段と、
前記画像に対応した画像信号を外部より入力する画像信号入力手段とを有し、
前記映像記録手段は、前記映像信号入力手段で入力した前記映像信号に対応した前記映像情報を記録し、
前記画像印刷手段は、前記画像信号入力手段で入力した前記画像信号に対応した前記画像を印刷することを特徴とする記録装置。
【請求項６】
請求項５記載の記録装置において、
前記映像記録手段で記録する映像情報に対応した画像要求信号を、装置外部に設けたサーバに出力する画像要求出力手段を有し、
前記画像信号入力手段は、前記画像要求信号に対応した前記画像信号を、前記サーバより有線又は無線を介したネットワーク通信により入力することを特徴とする記録装置。
【請求項７】
請求項６記載の記録装置において、
前記映像信号入力手段で入力した前記映像信号に対応した前記映像情報と、前記画像信号入力手段で前記サーバから入力した前記画像信号に対応した画像情報とを、互いに関連付けて記憶媒体に記憶させる第３記憶処理手段を有し、
前記映像記録手段は、前記記憶媒体から読み出された前記映像情報を記録し、
前記画像印刷手段は、前記記憶媒体から読み出された前記画像情報に対応する前記画像を印刷する
ことを特徴とする記録装置。
【請求項８】
請求項６記載の記録装置において、
前記映像信号入力手段で入力した前記映像信号に対応した前記映像情報を記憶媒体に記憶させる第４記憶処理手段を有し、
前記画像要求出力手段は、前記記憶媒体から読み出された前記映像情報に対応した前記画像要求信号を前記サーバに出力し、
前記映像記録手段は、前記記憶媒体から読み出された前記映像情報を記録し、
前記画像印刷手段は、前記画像要求信号に対応して前記サーバより出力され前記画像信号入力手段で入力された前記画像信号に対応する前記画像を印刷する
ことを特徴とする記録装置。
【請求項９】
請求項５記載の記録装置において、
前記画像信号入力手段は、前記テレビジョン放送に含まれる前記画像信号を外部より有線又は無線通信により入力することを特徴とする記録装置。
【請求項１０】
請求項９記載の記録装置において、
前記映像信号入力手段で入力した前記映像信号に対応した前記映像情報と、前記画像信号入力手段で入力した前記画像信号に対応した画像情報とを、互いに関連付けて記憶媒体に記憶させる第５記憶処理手段を有し、
前記映像記録手段は、前記記憶媒体から読み出された前記映像情報を記録し、
前記画像印刷手段は、前記記憶媒体から読み出された前記画像情報に対応する前記画像を印刷する
ことを特徴とする記録装置。
【請求項１１】
請求項１記載の記録装置において、
テレビジョン放送に含まれる映像信号を外部より入力する映像信号入力手段と、
この映像信号入力手段で入力した前記映像信号に含まれる少なくとも１つのフレームを抽出するフレーム抽出手段とを有し、
前記映像記録手段は、前記映像信号入力手段で入力した前記映像信号に対応した前記映像情報を記録し、
前記画像印刷手段は、前記フレーム抽出手段で抽出した前記フレームに対応した前記画像を印刷することを特徴とする記録装置。
【請求項１２】
請求項１１記載の記録装置において、
前記映像信号入力手段で入力した前記映像信号に対応した前記映像情報と、前記フレーム抽出手段で抽出した前記フレーム又はこれに対応する前記画像の画像情報とを、互いに関連付けて記憶媒体に記憶させる第６記憶処理手段を有し、
前記映像記録手段は、前記記憶媒体から読み出された前記映像情報を記録し、
前記画像印刷手段は、前記記憶媒体から読み出された前記フレームに対応する前記画像を印刷する
ことを特徴とする記録装置。
【請求項１３】
請求項１１記載の記録装置において、
前記映像信号入力手段で入力した前記映像信号に対応した前記映像情報を記憶媒体に記憶させる第７記憶処理手段を有し、
前記映像記録手段は、前記記憶媒体から読み出された前記映像情報を記録し、
前記フレーム抽出手段は、前記記憶媒体から読み出された前記映像情報に含まれる前記フレームを抽出し、
前記画像印刷手段は、前記フレーム抽出手段で抽出した前記フレームに対応した前記画像を印刷することを特徴とする記録装置。
【請求項１４】
請求項１乃至１３のいずれか１項記載の記録装置において、
前記画像印刷手段で印刷する前記画像に対応した表示信号を生成して出力する表示信号生成手段を有し、
前記画像印刷手段は、前記表示信号に対応して外部より入力された指示信号に基づき、前記画像の印刷を行う
ことを特徴とする記録装置。
【発明の詳細な説明】
【技術分野】
【０００１】
本発明は、各種記録媒体に映像の記録を行う記録装置に関する。
【背景技術】
【０００２】
ビデオテープ、ＤＶＤ、ＣＤ、ＭＤ、その他の記録媒体に映像を記録した際、その映像の内容等に関する情報をプリンタにより印字するシステムが従来から知られている。
【０００３】
例えば、特許文献１には、テレビ放送の放送波に同期してコンテンツを記録紙に印刷するシステムが開示されている。このシステムでは、予め記録紙に印刷する画像等をコンテンツサーバから取得しておき、放送受信時に放送波に含まれる所定の情報にしたがって上記取得した中から対応する画像を印刷するものである。
【０００４】
また特許文献２には、記録媒体に録画した番組のラベルを自動印刷するシステムが開示されている。このシステムでは、予約録画実行時に取得された番組情報（テキスト情報）を、記録媒体の種類に対応して選択されたテンプレートにあてはめてラベルを印刷するものである。
【０００５】
【特許文献１】特開２００４−３３６４６３号公報（段落番号００１７〜００６４、図１〜図４等）
【特許文献２】特開２００３−１３４４４７号公報（段落番号００１３〜００２３、図１〜図３）
【発明の開示】
【発明が解決しようとする課題】
【０００６】
上記従来技術では、記録媒体に記録された映像内容に対応する情報（画像やテキスト）を記録紙やラベル等に印刷するものであるが、当該情報が印刷された記録紙やラベルと当該記録媒体との対応付けは、例えばラベルを記録媒体に貼り付ける等、操作者の作業に任されている。
【０００７】
このため、例えば操作者によるラベルの貼り付け失敗や貼り付け間違い等が発生した場合には、記録媒体の映像内容とラベル等の表示内容（印字内容）との間に不一致が生じる可能性がある。
【０００８】
本発明が解決しようとする課題には、上記した問題が一例として挙げられる。
【課題を解決するための手段】
【０００９】
上記課題を解決するために、請求項１記載の発明は、記録媒体に映像情報を記録する映像記録手段と、この映像記録手段で前記記録媒体に記録された前記映像情報に対応付けられた画像を前記記録媒体に印刷する画像印刷手段とを有する。
【発明を実施するための最良の形態】
【００１０】
以下、本発明の一実施の形態を図面を参照しつつ説明する。
【００１１】
図１は、本実施形態の記録装置１の機能内容を概念的に表す説明図である。この図１において、記録装置１は、電波供給源１００（放送局、中継局、基地局、又は衛星等）からのテレビジョン放送の放送波Ｅを受信し（但し電波に限られずケーブル等の有線を介して放送信号を受信してもよい。以下同様）、その受信した番組映像を光ディスク（例えば書き込み可能なＤＶＤ−Ｒ、ＤＶＤ−ＲＷ、ＤＶＤ−ＲＡＭなど）等の記録媒体Ｄに録画する。またこのとき、予め蓄積格納されていた複数の印刷用の画像（写真、絵、漫画、コンピュータグラフィックによる静止画、所定の図柄・模様、テキストアートを除く絵文字等も含む）Ｓ1の中から上記録画する映像内容に対応したものを選択して記録媒体Ｄに当該画像Ｓ1の印刷を行って印刷画像付き記録媒体Ｄ1を作成するものである。
【００１２】
図２は、上記記録装置１の機能的構成を表す機能ブロック図である。図２において、記録装置１は、記録装置１全体を制御するシステム制御部５０と、上記放送波Ｅをアンテナ（図示せず）を介して受信し映像信号及び音声信号をそれぞれ出力するＴＶ受信機２と、このＴＶ受信機２からの映像・音声出力（又は外部入力端子を備えた映像・音声入力部３からの映像・音声入力）をＡ／Ｄ変換しエンコードする映像・音声エンコーダ部４と、この映像・音声エンコーダ部４からのエンコードされ上記システム制御部５０で所定の態様に処理された映像・音声信号を、光ピックアップ（図示せず）に駆動信号として供給することにより、データ書き込み用のレーザ光を記録媒体Ｄに照射させるメディア書き込み部５と、上記光ピックアップがデータ読み出し用のレーザ光を記録媒体Ｄに照射したときに受光した反射光の受光出力から、検出信号を生成するメディア読み出し部６と、このメディア読み出し部６で生成され上記システム制御部５０で所定の態様に処理された映像・音声信号をデコードしＤ／Ａ変換する映像・音声デコーダ部７と、この映像・音声デコーダ部から出力されたアナログ映像・音声信号を図示しないＣＲＴ、プラズマディスプレイ、液晶ディスプレイ等の表示装置やスピーカ等へ出力する外部出力端子を備えた映像・音声出力部８と、記録媒体Ｄへ印刷する上記画像Ｓ1を表示するための表示部（表示手段）９と、記録媒体Ｄへ上記画像Ｓ1を印刷する印字ヘッド（図示せず）を備えた印刷部１０と、操作者が各種入力・選択操作を行うための操作部１１（又はリモコンが用いられる場合にはリモコンからの操作信号を入力する操作信号入力部。以下同様）、上述した複数の印刷用の画像Ｓ1を予め蓄積格納する適宜の記憶手段からなる画像メモリ１２とを有している。なお、ディスク管理部１３及びハードディスクドライブ１４については後述する。
【００１３】
操作部１０は、操作者の操作に対応する各種コマンド信号を出力し、このコマンド信号はシステム制御部５０に入力され、システム制御部５０は、予め設定されたコンピュータプログラムに従って、記録装置１全体の制御を行う。
【００１４】
以上のようにして、記録装置１は、上記ＴＶ受信機５０や上記映像・音声入力部３から入力された映像信号や音声信号を記録媒体Ｄに記録することができ、更に、記録媒体Ｄに記録された映像信号及び音声信号映像・音声出力部８を介し外部に映像出力及び音声出力可能である。また前述したように、放送波Ｅにより受信した番組映像の内容に基づき、画像メモリ１２に格納されていた画像Ｓ1の中から対応するものを選択し、印刷部１０によって記録媒体Ｄに対し印刷を行う。
【００１５】
図３は、上記の機能を実現するために、上記システム制御部５０が実行する制御手順を表すフローチャートである。
【００１６】
図３において、操作者により、例えば操作部１１を介しテレビジョン放送の受信を行うための操作が行われると、このフローが開始される。まずステップＳ５において、ＴＶ受信機２で受信され映像・音声エンコーダ部４でエンコードされた映像信号及び音声信号を取り込む。
【００１７】
その後、ステップＳ１０において、上記操作部１１における操作者によるチャンネル及び番組選択操作に応じて当該受信され録画される番組に関する所定の情報（例えば、チャンネル番号、番組ジャンル、番組名、放送時間帯、番組長さ、電波種類等）を取得する。このとき、例えば電子番組ガイド（ＥＰＧ）が用いられる場合には、表示部９や別途設けたディスプレイに電子番組ガイドを表示させた状態で、操作者が操作部１１により当該番組の領域（枠）を指定したことに対応して、上記番組に関する所定の情報を取得すればよい。また、このような操作信号でなく、ステップＳ５で受信した映像信号や音声信号等から上記番組に関する所定の情報を取得するようにしてもよい。
【００１８】
その後、ステップＳ２０に移り、上記ステップＳ１０で取得した番組情報に基づき、上記画像メモリ１２にアクセスしてその格納蓄積された複数の画像Ｓ1の中から、当該番組情報に予め関連づけられている画像Ｓ1を検索する（抽出取得を試行する）。このとき、例えばシステム制御部５０には、上記チャンネル番号、番組ジャンル、番組名、時間帯、番組長さ、電波種類等の番組情報と、それぞれに対応づけられる画像Ｓ1との相関情報がテーブルとして記憶されており、上記検索はこのテーブルを参照することにより実行される。
【００１９】
そして、ステップＳ３０において、上記ステップＳ２０における画像メモリ１２での検索で、対応する画像Ｓ1（１つの番組に対し１つには限られず、複数が対応付けられていてもよい）が取得できたかどうかを判定する。
【００２０】
対応する画像Ｓ1が見つかって画像メモリ１２より取得できた場合は判定が満たされ、ステップＳ４０に移る。ステップＳ４０では、表示部９に表示制御信号（表示信号）を出力し、上記ステップＳ２０で画像メモリ１２から印刷用の画像として取得された（１つ又は複数の）画像Ｓ1を表示部９に表示させ、ステップＳ５０に移る。
【００２１】
ステップＳ５０では、操作部１１より操作者による印刷画像確定としての選択操作入力（指示信号）があったかどうかを判定する。上記ステップＳ４０における表示部９の画像Ｓ1の表示を見た操作者が、例えば１つの画像Ｓ1に対して印刷ＯＫとの選択（確認）操作をした場合や、複数の画像Ｓ1に対していずれか１つの画像Ｓ1を印刷画像として選択した場合には、ステップＳ５０の判定が満たされ、当該操作に応じた画像Ｓ1を特定保持し、次のステップＳ６０に移る。上記選択（確認）操作が行われるまではステップＳ４０に戻り、同様の手順を繰り返す。
【００２２】
ステップＳ６０では、メディア書き込み部５に制御信号を出力して上記光ピックアップよりレーザ光を出力させ、ステップＳ５で受信され映像・音声エンコーダ部４でエンコードされた映像信号及び音声信号に対応した映像情報及び音声情報を記録媒体Ｄに書き込む録画処理を実行する。
【００２３】
その後、ステップＳ７０に移り、印刷部９に制御信号を出力して印字ヘッドを駆動し、ステップＳ５０で特定し保持（選択）操作された画像Ｓ1を記録媒体Ｄに印刷する印刷処理を実行した後、このフローを終了する。なお、この印刷はステップＳ６０より前にすなわち録画処理の前に実行するようにしてもよい。また、可能であれば録画処理に並行して実行するようにしてもよい。
【００２４】
一方、上記ステップＳ２０における画像メモリ１２の検索によっても番組に対応する画像Ｓ1が見つからず取得できなかった場合は、ステップＳ３０の判定が満たされず、ステップＳ８０に移る。
【００２５】
ステップＳ８０では、表示部９に表示制御信号（表示信号）を出力し、印刷用の画像Ｓ1が画像メモリ１２より取得できなかった旨のエラー表示を表示部９に表示させ、ステップＳ９０に移る。
【００２６】
ステップＳ９０では、操作部１１より操作者による上記エラーの確認操作入力があったかどうかを判定する。上記ステップＳ８０における表示部９のエラー表示を見た操作者が確認操作をした（＝通常の映像内容に対応した画像を印字できないことを了解した）場合には、ステップＳ９０の判定が満たされ、前述のステップＳ６０に移る。
【００２７】
以降は上記のステップＳ６０及びステップＳ７０を実行する。但し、ステップＳ７０の印刷処理においては、前述のように画像メモリ１２から画像Ｓ1が取得されていないので、当該エラーに対応して定められた所定の画像の印刷を行う。あるいは、この場合にはステップＳ７０の印刷処理を行わず単にステップＳ６０の録画処理だけとしてもよい。
【００２８】
以上説明したように、本実施形態における記録装置１は、記録媒体Ｄに映像情報を記録する映像記録手段（この例ではメディア書き込み部）５と、この映像記録手段５で記録媒体Ｄに記録された映像情報に対応付けられた画像Ｓ1を記録媒体Ｄに印刷する画像印刷手段（この例では印刷部）１０とを有することを特徴とする。
【００２９】
本実施形態の記録装置１においては、映像情報が映像記録手段５によって記録媒体Ｄに記録されると、その映像情報に対応付けられた画像Ｓ1が、画像印刷手段１０によって記録媒体Ｄに印刷される。これにより、記録媒体Ｄに記録された映像の内容を視覚的に鮮明に表示することができ、操作者に確実に認知させることができる。また、記録媒体Ｄに印刷することにより、ラベルを貼り付ける場合のように貼り付け間違いによる映像内容と表示内容との不一致が生じるのを確実に防止できる。
【００３０】
上記実施形態における記録装置１においては、テレビジョン放送に含まれる映像信号を外部より入力する映像信号入力手段（この例ではＴＶ受信機）２と、複数の画像Ｓ1を格納保持する画像記憶手段（この例では画像メモリ）１２と、画像記憶手段１２に格納保持された複数の画像Ｓ1のうち、映像信号入力手段２で入力した映像信号に対応した画像を選択する画像選択手段（この例ではステップＳ５０を実行するシステム制御部）５０とを有し、映像記録手段５は、映像信号入力手段２で入力した映像信号に対応した映像情報を記録し、画像印刷手段１０は、画像選択手段５０で選択された画像Ｓ1を印刷することを特徴とする。
【００３１】
テレビジョン放送の映像信号を映像信号入力手段２で外部より入力しこれに対応した映像情報を映像記録手段５で記録媒体Ｄに記録するとともに、予め画像記憶手段１２に格納保持した画像Ｓ1のうち上記映像信号に対応した画像Ｓ1を選択手段５０で選択し画像印刷手段１０で印刷することにより、記録媒体Ｄに記録された映像の内容を視覚的に鮮明に表示し操作者に確実に認知させることができるとともに、ラベル貼り付け間違いによる映像内容と表示内容との不一致が生じるのを確実に防止できる。
【００３２】
また、予め装置１内の画像記憶手段１２に記憶させた画像Ｓ1を印刷することにより、印刷する画像Ｓ1に関する信号を外部より入力することが不要となり、信号送受がなくなる分制御が簡素化するとともに、動作信頼性を向上することができる。また、操作者が自分で作成・撮影した画像を画像記憶手段１２に記憶させれば、操作者オリジナルの画像も容易に印刷することができる。
【００３３】
上記実施形態における記録装置１においては、画像印刷手段１０で印刷する画像Ｓ1に対応した表示信号を生成して出力する表示信号生成手段（この例ではステップＳ４０を実行するシステム制御部）５０を有し、画像印刷手段１０は、表示信号に対応して外部より入力された指示信号に基づき、画像Ｓ1の印刷を行うことを特徴とする。
【００３４】
上記実施形態の記録装置１においては、画像印刷手段１０で印刷する画像Ｓ1に対応した表示信号が表示信号生成手段５０で生成されて出力され、これによって適宜の表示手段９に印刷画像Ｓ1が表示される。操作者がこの表示を見て確認を行い、適宜の印刷指示（複数印刷画像Ｓ1からの選択指示を含む）を行うことにより、画像印刷手段１０はこの指示信号に応じて記録媒体Ｄに対し当該画像Ｓ1の印刷を行う。このように、記録媒体Ｄへの画像印刷前に、当該印刷画像Ｓ1を操作者が目で見て確認できるようにする（あるいは複数候補から選択できるようにする）ことにより、さらに操作者の利便性を向上できる。
【００３５】
なお、本実施形態は、上記に限られず、種々の変形が可能である。以下、そのような変形例を順を追って説明する。
【００３６】
（１）取得した画像とともに一旦ハードディスクに記憶する場合
上記実施形態では、ＴＶ受信機２で受信した映像信号及び音声信号を（特に別の手段に記憶することなく）そのまま記録媒体Ｄに記録したが、これに限られず、一旦公知のハードディスクドライブを用いてハードディスクに記憶し、その後このハードディスクから読み出して記録媒体Ｄに記録するようにしてもよい。
【００３７】
本変形例の記録装置１の機能的構成を前述の図２を用いて説明する。本変形例では、公知のハードディスクを備えこのハードディスクへのデータ読み書き機能を備えたハードディスクドライブ１４と、システム制御部５０の制御信号に基づきこのハードディスクドライブ１４へのデータ読み書きを制御するディスク管理部１３とが設けられる(破線参照)。
【００３８】
図４（ａ）及び図４（ｂ）は、本変形例のシステム制御部５０が実行する制御手順を表すフローチャートであり、上記図３に対応する図である。図３と同等の手順には同一の符号を付し、適宜説明を省略又は簡略化する。
【００３９】
図４（ａ）は、上記ハードディスクドライブ１４によりハードディスクへ書き込みを行うまでの手順を示している。図４（ａ）において、前述と同様、例えば操作部１１を介しテレビジョン放送の受信及びその記録媒体Ｄへの録画を行うための操作が行われると、このフローが開始される。ステップＳ５〜ステップＳ５０までは図３と同様であり、ＴＶ受信機２で受信され映像・音声エンコーダ部４でエンコードされた映像信号及び音声信号を取り込み、番組に関する所定の情報を取得した後、画像メモリ１２より対応する画像Ｓ1を検索する。画像Ｓ1を取得できたら表示部９に取得された印刷用画像Ｓ1を表示させる。
【００４０】
ステップＳ５０で、操作部１１より操作者による印刷画像確定としての選択操作入力（指示信号）があった場合は判定が満たされ、当該操作に応じた画像Ｓ1を特定保持し、新たに設けたステップＳ１００に移る。
【００４１】
ステップＳ１００では、ディスク管理部１３へ制御信号を出力し、ステップＳ５で受信され映像・音声エンコーダ部４でエンコードされた映像信号及び音声信号に対応した映像情報及び音声情報と、ステップＳ５０で選択（確認）操作された画像Ｓ1に係わる画像情報とを互いに関連づけ、この関連づけられた形で映像・音声情報と画像情報とをハードディスクドライブ１４によってハードディスクへ書き込み、図４（ａ）のフローを終了する。
【００４２】
その後、操作者により、例えば操作部１１を介し記録媒体Ｄへの録画を行うための操作が行われると、図４（ｂ）のフローが開始される。まずステップＳ１１０において、ディスク管理部１３へ制御信号を出力し、上記ステップＳ１００で互いに関連づけられた形でハードディスクへ書き込まれ格納保持されていた映像・音声情報と画像情報とをハードディスクドライブ１４によってハードディスクから読み出し、取得する。
【００４３】
その後、上記ステップＳ６０に移り、メディア書き込み部５に制御信号を出力して上記光ピックアップよりレーザ光を出力させ、ステップＳ１１０で読み出した映像信号及び音声信号に対応した映像情報及び音声情報を記録媒体Ｄに書き込む録画処理を実行する。
【００４４】
その後、上記ステップＳ７０に移り、印刷部９に制御信号を出力して印字ヘッドを駆動し、ステップＳ１１０で読み出した画像Ｓ1を記録媒体Ｄに印刷する印刷処理を実行した後、このフローを終了する。なお、この印刷はステップＳ６０より前にすなわち録画処理の前に実行するようにしてもよい。また、可能であれば録画処理に並行して実行するようにしてもよい。
【００４５】
なお、上記図４（ａ）におけるステップＳ８０及びステップＳ９０は図３と同様であるが、ステップＳ８０でエラー表示した後のステップＳ７０の印刷処理においては、前述のように画像メモリ１２から画像Ｓ1が取得されず画像Ｓ1はハードディスクから読み出されないので、当該エラーに対応して定められた所定の画像の印刷を行う。あるいは、この場合にはステップＳ７０の印刷処理を行わず単にステップＳ６０の録画処理だけとしてもよい。
【００４６】
本変形例における記録装置１においては、映像信号入力手段２で入力した映像信号に対応した映像情報と、画像選択手段５０で選択した画像Ｓ1に対応した画像情報とを、互いに関連付けて記憶媒体（この例ではハードディスク）に記憶させる第１記憶処理手段（この例ではハードディスクドライブ）１４を有し、映像記録手段５は、記憶媒体から読み出された映像情報を記録し、画像印刷手段１０は、記憶媒体から読み出された画像情報に対応する画像Ｓ1を印刷することを特徴とする。
【００４７】
テレビジョン放送の映像信号を映像信号入力手段２で外部より入力し、画像記憶手段１２に格納保持した複数の画像Ｓ1の中から上記入力した映像信号に対応したものを画像選択手段５０で選択し、上記映像信号に対応した映像情報と上記画像選択手段５０で選択した画像Ｓ1に対応した画像情報とを、互いに関連づけた形で第１記憶処理手段１４で記憶媒体に記憶させる。そして、この記憶媒体から読み出された映像情報を映像記録手段５で記録媒体Ｄに記録するとともに、記憶媒体から読み出された画像情報に対応した画像Ｓ1を画像印刷手段１０で印刷することにより、記録媒体Ｄに記録された映像の内容を視覚的に鮮明に表示し操作者に確実に認知させることができるとともに、ラベル貼り付け間違いによる映像内容と表示内容との不一致が生じるのを確実に防止できる。
【００４８】
また、このように記憶媒体に一旦記憶させた後読み出して記録・印刷する方式とすることで、記憶媒体に記憶させた状態において、記録媒体Ｄに記録すべきかどうかを取捨選択することが可能となる（この場合、例えば図４（ｂ）のステップＳ６０とステップＳ７０との間に、録画を行うかどうかの確認表示する手順を設け、確認操作がされた場合にのみステップＳ７０へ移行するようにすればよい）ので、操作者の利便性を向上できる。
【００４９】
（２）ハードディスクに記憶し、読み出すときに画像を取得する場合
上記変形例では映像情報をハードディスクに書き込むときに、対応する画像Ｓ1を関連づけて書き込みを行ったが、これに限られない。すなわち映像情報のみをハードディスクに書き込み、これを読み出して記録媒体Ｄに記録するときに画像Ｓ1を取得するようにしてもよい。
【００５０】
本変形例のハード構成は上記（１）の変形例と同等である。図５は、本変形例のシステム制御部５０が実行する制御手順を表すフローチャートであり、上記図３や図４（ａ）（ｂ）に対応する図である。図３や図４（ａ）（ｂ）と同等の手順には同一の符号を付し、適宜説明を省略又は簡略化する。
【００５１】
図５（ａ）は、上記ハードディスクドライブ１４によりハードディスクへ書き込みを行うまでの手順を示している。図５（ａ）において、前述と同様、例えば操作部１１を介しテレビジョン放送の受信及びその記録媒体Ｄへの録画を行うための操作が行われると、このフローが開始される。ステップＳ５〜ステップＳ１０までは図４（ａ）と同様であり、ＴＶ受信機２で受信され映像・音声エンコーダ部４でエンコードされた映像信号及び音声信号を取り込み、番組に関する所定の情報を取得する。
【００５２】
ステップＳ１０が終了したら上記ステップＳ１００へ移り、ディスク管理部１３へ制御信号を出力し、ステップＳ５で受信され映像・音声エンコーダ部４でエンコードされた映像信号及び音声信号に対応した映像情報及び音声情報をハードディスクドライブ１４によってハードディスクへ書き込む。なおこの際、ステップＳ１０において取得した番組情報に対応し、画像Ｓ1を検索する際（図５（ｂ）のステップＳ２０参照）のための所定の識別子（検索すべき画像Ｓ1の内容を含んでもよいし、それは含まず検索指示のみもよい）を設定してこの識別子を映像・音声信号と併せてハードディスクに書き込むようにしてもよい。このステップＳ１００が終わったら、図５（ａ）のフローを終了する。
【００５３】
その後、操作者により、例えば操作部１１を介し記録媒体Ｄへの録画を行うための操作が行われると、図５（ｂ）のフローが開始される。まずステップＳ１１０において、ディスク管理部１３へ制御信号を出力し、上記ステップＳ１００でハードディスクへ書き込まれ格納保持されていた映像・音声情報をハードディスクドライブ１４によってハードディスクから読み出す。その後、上記ステップＳ２０へ移る。
【００５４】
その後のステップＳ２０〜ステップＳ７０、ステップＳ８０〜ステップＳ９０は上記図３と同等である。すなわちまず、上記ステップＳ１０で取得した番組情報に基づき（例えば前述の識別子を用いて）画像メモリ１２より対応する画像Ｓ1を検索する（なお、識別子が検索指示のみの機能を備える場合には、識別子による検索指示の検知によって画像メモリ１２を検索するのに代えて、識別子が存在しないことを検知した場合に画像メモリ１２を検索するようにしてもよい）。その後、ステップＳ３０を経てステップＳ４０で操作部１１より選択操作入力があれば、ステップＳ５０を経て次のステップＳ６０に移り、上記ステップＳ１１０でハードディスクから読み出された映像情報及び音声情報を記録媒体Ｄに書き込む録画処理を実行し、ステップＳ７０でステップＳ５０で特定し保持（選択）操作された画像Ｓ1を記録媒体Ｄに印刷する印刷処理を実行し、このフローを終了する。なお、この印刷はステップＳ６０より前にすなわち録画処理の前に実行するようにしてもよい。また、可能であれば録画処理に並行して実行するようにしてもよい。
【００５５】
画像メモリ１２の検索で画像Ｓ1が見つからなかった場合は、ステップＳ３０の判定が満たされず、ステップＳ８０でエラー表示を表示部９に表示させ、ステップＳ９０を経てステップＳ６０及びステップＳ７０（エラー対応画像印刷等）を行い、このフローを終了する。
【００５６】
本変形例における記録装置１においては、映像信号入力手段２で入力した映像信号に対応した映像情報を記憶媒体に記憶させる第２記憶処理手段（この例ではハードディスクドライブ）１４を有し、画像選択手段５０は、画像記憶手段１２に格納保持された複数の画像Ｓ1のうち、記憶媒体から読み出された映像情報に対応したものを選択し、映像記録手段５は、記憶媒体から読み出された映像情報を記録し、画像印刷手段１０は、画像選択手段５０で選択された画像Ｓ1を印刷することを特徴とする。
【００５７】
テレビジョン放送の映像信号を映像信号入力手段２で外部より入力し、上記映像信号に対応した映像情報を第２記憶処理手段１４で記憶媒体に記憶させる。そして、この記憶媒体から読み出された映像情報を映像記録手段５で記録媒体に記録するとともに、その読み出した映像情報に対応して画像選択手段５０で選択された画像を画像印刷手段１０で印刷することにより、記録媒体に記録された映像の内容を視覚的に鮮明に表示し操作者に確実に認知させることができるとともに、ラベル貼り付け間違いによる映像内容と表示内容との不一致が生じるのを確実に防止できる。
【００５８】
また、このように記憶媒体にから映像情報を読み出して記録するときに、対応する画像を選択する方式とすることで、記録媒体に記録すべきとして操作者により指定された映像に対してのみ画像を取得可能となるので、不必要な信号送受を省き制御の簡素化を図ることができる。
【００５９】
（３）画像サーバより画像を取得する場合
以上では、予め画像メモリ１２に１つ（又は複数の）画像Ｃ1を記憶させておき、そこから番組内容に対応して画像Ｃ1を取得したが、これに限られず、記録装置１外部に画像サーバを設け、このサーバより画像を取得するようにしてもよい。
【００６０】
図６は、本変形例の記録装置１の機能内容を概念的に表す説明図であり、上記図１に対応する図である。図１と同等の部分には同一の符号を付す。この図６において、記録装置１は、電波供給源１００からのテレビジョン放送の放送波Ｅを受信し（又はケーブル等を介し放送信号を受信し）、その受信した番組映像を記録媒体Ｄに録画するとともに、予め画像サーバ６０のデータベース６１に蓄積格納されていた複数の印刷用の画像（写真、絵、漫画、コンピュータグラフィックによる静止画、所定の図柄・模様、テキストアートを除く絵文字等も含む）Ｓ2の中から上記録画する映像内容に対応したものをインターネット等の有線（又は無線）通信ネットワークＮＷを介して（画像信号として）取得し、記録媒体Ｄに当該画像Ｓ2の印刷を行って印刷画像付き記録媒体Ｄ2を作成するものである。
【００６１】
図７は、本変形例による記録装置１の機能的構成を表す機能ブロック図であり、上記図２に対応する図である。図２と同等の部分には同一の符号を付し、説明を省略又は簡略化する。図７において、本変形例の記録装置１では、図２に示した構成のうち画像メモリ１２が省略されるとともに、上記通信ネットワークＮＷに接続されるインターネット接続部６２が新たに設けられ、このインターネット接続部６２を介して上記システム制御部５０が画像サーバ６０及びそのデータベース６１に接続されている。
【００６２】
本変形例のシステム制御部５０が実行する制御手順は、前述の図３のフローチャートとほぼ同様であり、図３のステップＳ２０における制御内容のみが一部異なる。
【００６３】
すなわち、ステップＳ５においてＴＶ受信機２で受信され映像・音声エンコーダ部４でエンコードされた映像信号及び音声信号が取り込まれ、ステップＳ１０で、受信され録画される番組に関する所定の情報が取得される。その後、ステップＳ２０においては、前述のように画像メモリ１２から画像Ｓ1を検索するのに代えて、上記ステップＳ１０で取得した番組情報に基づき、上記インターネット接続部６２及び通信ネットワークＮＷを介して画像サーバ６０のデータベース６１に画像要求信号を出力し、その格納蓄積された複数の画像Ｓ2の中から、当該番組情報に予め関連づけられている画像Ｓ2を画像信号の形で取得する。このとき、例えばサーバ６０には、前述と同様、上記チャンネル番号、番組ジャンル、番組名、時間帯、番組長さ、電波種類等の番組情報と、それぞれに対応づけられる画像Ｓ2との相関情報がテーブルとして記憶されており、上記検索はこのテーブルを参照することにより実行される。
【００６４】
その後、ステップＳ３０以降は上記実施形態の図３と同様なので説明を省略する。
【００６５】
本変形例における記録装置１においては、テレビジョン放送に含まれる映像信号を外部より入力する映像信号入力手段２と、画像に対応した画像信号を外部より入力する画像信号入力手段（この例ではインターネット接続部）６２とを有し、映像記録手段５は、映像信号入力手段６２で入力した映像信号に対応した映像情報を記録し、画像印刷手段１０は、画像信号入力手段６２で入力した画像信号に対応した画像Ｓ2を印刷することを特徴とする。
【００６６】
テレビジョン放送の映像信号を映像信号入力手段２で外部より入力しこれに対応した映像情報を映像記録手段５で記録媒体Ｄに記録するとともに、画像信号を画像信号入力手段６２で外部より入力しこれに対応した画像を画像印刷手段１０で印刷することにより、記録媒体Ｄに記録された映像の内容を視覚的に鮮明に表示し操作者に確実に認知させることができるとともに、ラベル貼り付け間違いによる映像内容と表示内容との不一致が生じるのを確実に防止できる。
【００６７】
また本変形例における記録装置１においては、映像記録手段５で記録する映像情報に対応した画像要求信号を、装置外部に設けたサーバ（この例では画像サーバ）６０に出力する画像要求出力手段（この例では上記ステップＳ２０の内容を実行するシステム制御部）５０を有し、画像信号入力手段６２は、画像要求信号に対応した画像信号を、サーバ６０より有線又は無線を介したネットワーク通信により入力することを特徴とする。
【００６８】
テレビジョン放送の映像信号を映像信号入力手段６２で外部より入力しこれに対応した映像情報を映像記録手段５で記録媒体Ｄに記録するとともに、画像要求出力手段５０からの画像要求信号に応じてサーバ６０から出力された画像信号を画像信号入力手段６２で入力し、これに対応した画像Ｓ2を画像印刷手段１０で印刷することにより、記録媒体Ｄに記録された映像の内容を視覚的に鮮明に表示し操作者に確実に認知させることができるとともに、ラベル貼り付け間違いによる映像内容と表示内容との不一致が生じるのを確実に防止できる。
【００６９】
また、このようなサーバ６０からの画像配信方式とすることで、画像をサーバ６０側で一括管理することが可能となるので、当該サーバ６０による画像配信と、テレビジョン放送を介した映像供給とをリンクさせることで、視聴者サービスの向上を図ることもできる。
【００７０】
（４）取得した画像とともに一旦ハードディスクに記憶する場合
上記（３）の変形例では、ＴＶ受信機２で受信した映像信号及び音声信号をそのまま記録媒体Ｄに記録したが、これに限られず、一旦公知のハードディスクドライブを用いてハードディスクに記憶し、その後このハードディスクから読み出して記録媒体Ｄに記録するようにしてもよい。
【００７１】
本変形例の記録装置１の機能的構成を前述の図７を用いて説明する。本変形例では、公知のハードディスクを備えこのハードディスクへのデータ読み書き機能を備えたハードディスクドライブ１４と、システム制御部５０の制御信号に基づきこのハードディスクドライブ１４へのデータ読み書きを制御するディスク管理部１３とが設けられる(破線参照)。
【００７２】
本変形例のシステム制御部５０が実行する制御手順は、前述の図４のフローチャートとほぼ同様であり、図４のステップＳ２０における制御内容のみが一部異なる。
【００７３】
すなわち、ステップＳ５においてＴＶ受信機２で受信され映像・音声エンコーダ部４でエンコードされた映像信号及び音声信号を取り込み、ステップＳ１０で番組に関する所定の情報を取得する。その後、ステップＳ２０においては、前述のように画像メモリ１２から画像Ｓ1を検索するのに代えて、上記ステップＳ１０で取得した番組情報に基づき、上記インターネット接続部６２及び通信ネットワークＮＷを介して画像サーバ６０のデータベース６１に画像要求信号を出力し、その格納蓄積された複数の画像Ｓ2の中から、当該番組情報に予め関連づけられている画像Ｓ2を画像信号の形で取得する。このとき、例えばサーバ６０には、前述と同様、上記チャンネル番号、番組ジャンル、番組名、時間帯、番組長さ、電波種類等の番組情報と、それぞれに対応づけられる画像Ｓ2との相関情報がテーブルとして記憶されており、上記検索はこのテーブルを参照することにより実行される。
【００７４】
その後、ステップＳ３０以降は上記図４と同様なので説明を省略する。
【００７５】
本変形例における記録装置１においては、映像信号入力手段２で入力した映像信号に対応した映像情報と、画像信号入力手段６２でサーバ６０から入力した画像信号に対応した画像情報とを、互いに関連付けて記憶媒体に記憶させる第３記憶処理手段（この例ではハードディスクドライブ）１４を有し、映像記録手段５は、記憶媒体から読み出された映像情報を記録し、画像印刷手段１０は、記憶媒体から読み出された画像情報に対応する画像Ｓ2を印刷することを特徴とする。
【００７６】
テレビジョン放送の映像信号を映像信号入力手段２で外部より入力するとともに、画像要求出力手段５０からの画像要求信号に応じてサーバ６０から出力された画像信号を画像信号入力手段６２で入力し、映像信号に対応した映像情報と画像信号に対応した画像情報とを互いに関連づけた形で第３記憶処理手段１４で記憶媒体に記憶させる。そして、この記憶媒体から読み出された映像情報を映像記録手段５で記録媒体Ｄに記録するとともに、記憶媒体から読み出された画像情報に対応した画像Ｓ2を画像印刷手段１０で印刷することにより、記録媒体に記録された映像の内容を視覚的に鮮明に表示し操作者に確実に認知させることができるとともに、ラベル貼り付け間違いによる映像内容と表示内容との不一致が生じるのを確実に防止できる。
【００７７】
（５）ハードディスクに記憶し、読み出すときに画像を取得する場合
上記（４）の変形例では映像情報をハードディスクに書き込むときに、対応する画像Ｓ2を関連づけて書き込みを行ったが、これに限られない。すなわち映像情報のみをハードディスクに書き込み、これを読み出して記録媒体Ｄに記録するときに画像Ｓ2を取得するようにしてもよい。
【００７８】
本変形例のハード構成は上記（４）の変形例と同等である。また本変形例のシステム制御部５０が実行する制御手順は、前述の図５のフローチャートとほぼ同様であり、図５のステップＳ２０における制御内容のみが一部異なる。
【００７９】
すなわち、前述のステップＳ２０では画像メモリ１２を検索していたのに代えて、ステップＳ２０では、上記ステップＳ１０で取得した番組情報に基づき（例えば前述の識別子を用いて）上記インターネット接続部６２及び通信ネットワークＮＷを介して画像サーバ６０のデータベース６１に画像要求信号を出力し、その格納蓄積された複数の画像Ｓ2の中から、当該番組情報に予め関連づけられている画像Ｓ2を画像信号の形で取得する（なお、識別子が検索指示のみの機能を備える場合には、識別子による検索指示の検知によってデータベース６１を検索するのに代えて、識別子が存在しないことを検知した場合にデータベース６１を検索するようにしてもよい）。その後、ステップＳ３０以降は前述の図５と同様であるので説明を省略する。
【００８０】
本変形例における記録装置１においては、映像信号入力手段２で入力した映像信号に対応した映像情報を記憶媒体に記憶させる第４記憶処理手段（この例ではハードディスクドライブ）１４を有し、画像要求出力手段５０は、記憶媒体から読み出された映像情報に対応した画像要求信号をサーバ６０に出力し、映像記録手段５は、記憶媒体から読み出された映像情報を記録し、画像印刷手段１０は、画像要求信号に対応してサーバ６０より出力され画像信号入力手段６２で入力された画像信号に対応する画像Ｓ2を印刷することを特徴とする。
【００８１】
テレビジョン放送の映像信号を映像信号入力手段２で外部より入力し、映像信号に対応した映像情報を第４記憶処理手段１４で記憶媒体に記憶させる。そして、この記憶媒体から読み出された映像情報を映像記録手段５で記録媒体Ｄに記録するとともに、画像要求出力手段５０からの画像要求信号に応じてサーバ６０から出力された画像信号を画像信号入力手段６２で入力し、この画像信号に対応した画像を画像印刷手段１０で印刷することにより、記録媒体Ｄに記録された映像の内容を視覚的に鮮明に表示し操作者に確実に認知させることができるとともに、ラベル貼り付け間違いによる映像内容と表示内容との不一致が生じるのを確実に防止できる。
【００８２】
また、このように記憶媒体にから映像情報を読み出して記録するときに、対応する画像信号をサーバ６０より取得する方式とすることで、記録媒体Ｄに記録すべきとして操作者により指定された映像に対してのみ画像信号を取得可能となるので、不必要な信号送受を省き制御の簡素化を図ることができる。
【００８３】
（６）多重放送波に画像信号を含ませ、画像を抽出取得する場合
すなわち、上記サーバからの画像取得に代え、放送波Ｅの信号内に画像を含ませておき、受信時に映像信号とともに当該画像を抽出し取得するようにしてもよい。
【００８４】
図８は、本変形例の記録装置１の機能内容を概念的に表す説明図であり、上記図１や図６に対応する図である。図１、図６と同等の部分には同一の符号を付す。この図８において、記録装置１は、電波供給源１００からのテレビジョン放送の多重放送波Ｅを受信し（又はケーブル等を介し放送信号を受信し）、その受信した番組映像を記録媒体Ｄに録画するとともに、その放送波Ｅ（又は放送信号、以下同様）に信号データとして含まれていた印刷用の画像（写真、絵、漫画、コンピュータグラフィックによる静止画、所定の図柄・模様、テキストアートを除く絵文字等も含む）Ｓ3を（画像信号として）取得し、記録媒体Ｄに当該画像Ｓ3の印刷を行って印刷画像付き記録媒体Ｄ3を作成するものである。
【００８５】
図示の例では、放送波Ｅに含まれる信号のうち、有効走査線以外に含まれる垂直同期部の空き部分に、画像データを含ませた場合を一例として示している。
【００８６】
図９は、本変形例による記録装置１の機能的構成を表す機能ブロック図であり、上記図２や図７に対応する図である。図２や図７と同等の部分には同一の符号を付し、説明を省略又は簡略化する。図９において、本変形例の記録装置１では、図２に示した構成のうち画像メモリ１２が省略されるとともに、上記通信システム制御部５０及び映像・音声エンコーダ部４に接続される画像抽出部７０が新たに設けられ、ＴＶ受信機２で受信され映像・音声エンコーダ部４でエンコードされた放送波Ｅの映像・音声信号から前述の画像データを抽出するようになっている。
【００８７】
本変形例のシステム制御部５０が実行する制御手順では、前述の図３のステップＳ１０及びステップＳ２０における制御内容が別の手順(ステップＳ２５、但し図示省略)に置き換わる。
【００８８】
すなわち、ステップＳ５においてＴＶ受信機２で受信され映像・音声エンコーダ部４でエンコードされた映像信号及び音声信号が取り込まれた後、ステップＳ２５に移る。ステップＳ２５では、ＴＶ受信機２で受信され映像・音声エンコーダ部４でエンコードされた放送波Ｅの映像・音声信号から前述の画像データを画像信号として抽出してデータを再構成し、画像Ｓ3を取得する。
【００８９】
その後、ステップＳ３０以降は上記図３と同様なので説明を省略する。
【００９０】
本変形例における記録装置１においては、画像信号入力手段（この例ではＴＶ受信機）２は、テレビジョン放送に含まれる画像信号を外部より有線又は無線通信により入力することを特徴とする。
【００９１】
テレビジョン放送の映像信号を映像信号入力手段（この例ではＴＶ受信機）２で外部より入力しこれに対応した映像情報を映像記録手段５で記録媒体Ｄに記録するとともに、当該テレビジョン放送に含まれる画像信号を画像信号入力手段（この例ではＴＶ受信機）２で入力し、これに対応した画像を画像印刷手段１０で印刷することにより、記録媒体Ｄに記録された映像の内容を視覚的に鮮明に表示し操作者に確実に認知させることができるとともに、ラベル貼り付け間違いによる映像内容と表示内容との不一致が生じるのを確実に防止できる。
【００９２】
また、このような映像を供給するテレビジョン放送を用いての画像配信方式とすることで、映像と画像とを同時期に供給することができるので、例えば放送時間等の変更が生じた場合であっても、映像と画像との関連性が確実に維持され、上記映像内容と表示内容との不一致がさらに確実に防止される。
【００９３】
（７）取得した画像とともに一旦ハードディスクに記憶する場合
上記（６）の変形例では、ＴＶ受信機２で受信した映像信号及び音声信号をそのまま記録媒体Ｄに記録したが、これに限られず、一旦公知のハードディスクドライブを用いてハードディスクに記憶し、その後このハードディスクから読み出して記録媒体Ｄに記録するようにしてもよい。
【００９４】
本変形例の記録装置１の機能的構成を前述の図９を用いて説明する。本変形例では、公知のハードディスクを備えこのハードディスクへのデータ読み書き機能を備えたハードディスクドライブ１４と、システム制御部５０の制御信号に基づきこのハードディスクドライブ１４へのデータ読み書きを制御するディスク管理部１３とが設けられる(破線参照)。
【００９５】
本変形例のシステム制御部５０が実行する制御手順では、前述の図４のステップＳ１０及びステップＳ２０における制御内容が別の手順(ステップＳ２５、但し図示省略)に置き換わる。
【００９６】
すなわち、ステップＳ５においてＴＶ受信機２で受信され映像・音声エンコーダ部４でエンコードされた映像信号及び音声信号を取り込んだ後、ステップＳ２５に移る。ステップＳ２５では、ＴＶ受信機２で受信され映像・音声エンコーダ部４でエンコードされた放送波Ｅの映像・音声信号から前述の画像データを画像信号として抽出してデータを再構成し、画像Ｓ3を取得する。
【００９７】
その後、ステップＳ３０以降は上記図４と同様なので説明を省略する。
【００９８】
本変形例における記録装置１においては、映像信号入力手段２で入力した前記映像信号に対応した映像情報と、画像信号入力手段２で入力した画像信号に対応した画像情報とを、互いに関連付けて記憶媒体に記憶させる第５記憶処理手段（この例ではハードディスクドライブ）１４を有し、映像記録手段は、記憶媒体から読み出された映像情報を記録し、画像印刷手段１０は、記憶媒体から読み出された画像情報に対応する画像Ｓ3を印刷することを特徴とする。
【００９９】
テレビジョン放送の映像信号を映像信号入力手段で外部より入力するとともに、当該テレビジョン放送に含まれる画像信号を画像信号入力手段２で入力し、映像信号に対応した映像情報と画像信号に対応した画像情報とを互いに関連づけた形で第５記憶処理手段１４で記憶媒体に記憶させる。そして、この記憶媒体から読み出された映像情報を映像記録手段５で記録媒体に記録するとともに、記憶媒体から読み出された画像情報に対応した画像Ｓ3を画像印刷手段１０で印刷することにより、記録媒体Ｄに記録された映像の内容を視覚的に鮮明に表示し操作者に確実に認知させることができるとともに、ラベル貼り付け間違いによる映像内容と表示内容との不一致が生じるのを確実に防止できる。
【０１００】
（８）放送波映像信号のフレームを切り出して画像を取得する場合
すなわち、上記放送波Ｅの映像信号によるフレーム（の少なくとも１つ）を抽出して切り出し、これに対応する画像を記録媒体Ｄに印刷するようにしてもよい。
【０１０１】
図１０は、本変形例の記録装置１の機能内容を概念的に表す説明図であり、上記図１、図６、図８等に対応する図である。図１、図６、図８と同等の部分には同一の符号を付す。この図１０において、記録装置１は、電波供給源１００からのテレビジョン放送の放送波Ｅを受信し（又はケーブル等を介し放送信号を受信し）、その受信した番組映像を記録媒体Ｄに録画するとともに、その放送波Ｅ（又は放送信号、以下同様）に含まれるフレームＦを切り出し（抽出し）、記録媒体Ｄに当該フレームＦに対応する画像Ｓ4を取得してその印刷を行い、印刷画像付き記録媒体Ｄ4を作成するものである。
【０１０２】
図１１は、本変形例による記録装置１の機能的構成を表す機能ブロック図であり、上記図２、図７、図９等に対応する図である。図２、図７、図９等と同等の部分には同一の符号を付し、説明を省略又は簡略化する。図１１において、本変形例の記録装置１では、図２に示した構成のうち画像メモリ１２が省略されるとともに、上記通信システム制御部５０及び映像・音声エンコーダ部４に接続されるフレーム抽出部８０が新たに設けられ、ＴＶ受信機２で受信され映像・音声エンコーダ部４でエンコードされた放送波Ｅの映像・音声信号に含まれるフレームＦから前述の画像Ｓ4を抽出するようになっている。
【０１０３】
本変形例のシステム制御部５０が実行する制御手順では、前述の図３のステップＳ１０及びステップＳ２０における制御内容が別の手順(ステップＳ２５Ａ、但し図示省略)に置き換わるとともに、ステップＳ３０における制御内容が若干異なる。
【０１０４】
すなわち、ステップＳ５においてＴＶ受信機２で受信され映像・音声エンコーダ部４でエンコードされた映像信号及び音声信号を取り込んだ後、ステップＳ２５Ａに移る。ステップＳ２５Ａでは、ＴＶ受信機２で受信され映像・音声エンコーダ部４でエンコードされた放送波Ｅから少なくとも１つのフレームＦを切り出す（抽出する）。なおこのとき放送波Ｅに含まれる多数のフレームのうちどれを切り出すかについては、たとえばある決まったタイミング（放送開始後○○分）のフレームとするか、あるいは初めてある信号レベルに達したフレームとする等、公知の手法を用いて適宜に定めればよい。
【０１０５】
その後、上記ステップＳ３０では、前述の画像メモリ１２から画像が取得できたかどうかの判定に代え、上記ステップＳ２５ＡにおいてフレームＦ（１つの番組に対し１つには限られず、複数が対応付けられていてもよい）を切り出し取得できたかどうかを判定する。対応するフレームＦを切り出せた場合は判定が満たされ、ステップＳ４０に移る。ステップＳ４０以降は上記図４と同様なので説明を省略する。
【０１０６】
本変形例における記録装置１においては、テレビジョン放送に含まれる映像信号を外部より入力する映像信号入力手段（この例ではＴＶ受信機）２と、この映像信号入力手段２で入力した映像信号に含まれる少なくとも１つのフレームＦを抽出するフレーム抽出手段（この例ではフレーム抽出部）８０とを有し、映像記録手段５は、映像信号入力手段２で入力した映像信号に対応した映像情報を記録し、画像印刷手段１０は、フレーム抽出手段８０で抽出したフレームＦに対応した画像Ｓ4を印刷することを特徴とする。
【０１０７】
テレビジョン放送の映像信号を映像信号入力手段２で外部より入力しこれに対応した映像情報を映像記録手段５で記録媒体Ｄに記録するとともに、この映像信号に含まれる少なくとも１つのフレームＦをフレーム抽出手段８０で抽出しこれに対応した画像Ｓ4を画像印刷手段１０で印刷することにより、記録媒体Ｄに記録された映像の内容を視覚的に鮮明に表示し操作者に確実に認知させることができるとともに、ラベル貼り付け間違いによる映像内容と表示内容との不一致が生じるのを確実に防止できる。
【０１０８】
また、このように映像側から切り出したフレーム画像Ｓ4を印刷する方式とすることにより、映像内容の一部がそのまま記録媒体Ｄに視覚的に表示されるので、映像内容をより明確に操作者に報知することができる。
【０１０９】
さらに、印刷する画像Ｓ4に関する信号を外部より入力することが不要となり、信号送受がなくなる分制御が簡素化するとともに、動作信頼性を向上することができる。
【０１１０】
（９）取得した画像とともに一旦ハードディスクに記憶する場合
上記（８）の変形例では、ＴＶ受信機２で受信した映像信号及び音声信号をそのまま記録媒体Ｄに記録したが、これに限られず、一旦公知のハードディスクドライブを用いてハードディスクに記憶し、その後このハードディスクから読み出して記録媒体Ｄに記録するようにしてもよい。
【０１１１】
本変形例の記録装置１の機能的構成を前述の図１１を用いて説明する。本変形例では、公知のハードディスクを備えこのハードディスクへのデータ読み書き機能を備えたハードディスクドライブ１４と、システム制御部５０の制御信号に基づきこのハードディスクドライブ１４へのデータ読み書きを制御するディスク管理部１３とが設けられる(破線参照)。
【０１１２】
本変形例のシステム制御部５０が実行する制御手順では、前述の図４のステップＳ１０及びステップＳ２０における制御内容が別の手順(ステップＳ２５Ａ、但し図示省略)に置き換わる。
【０１１３】
すなわち、ステップＳ５においてＴＶ受信機２で受信され映像・音声エンコーダ部４でエンコードされた映像信号及び音声信号を取り込んだ後、ステップＳ２５Ａに移る。ステップＳ２５Ａでは、前述と同様、ＴＶ受信機２で受信され映像・音声エンコーダ部４でエンコードされた放送波Ｅから少なくとも１つのフレームＦを切り出す（抽出する）。
【０１１４】
その後、上記ステップＳ３０では、前述と同様、画像メモリ１２から画像が取得できたかどうかの判定に代え、上記ステップＳ２５ＡにおいてフレームＦ（１つの番組に対し１つには限られず、複数が対応付けられていてもよい）を切り出し取得できたかどうかを判定する。対応するフレームＦを切り出せた場合は判定が満たされ、ステップＳ４０に移る。ステップＳ４０以降は上記図４と同様なので説明を省略する。
【０１１５】
本変形例における記録装置１においては、映像信号入力手段２で入力した映像信号に対応した映像情報と、フレーム抽出手段８０で抽出したフレームＦ（又はこれに対応する画像情報）とを、互いに関連付けて記憶媒体に記憶させる第６記憶処理手段（この例ではハードディスクドライブ）１４を有し、映像記録手段５は、記憶媒体から読み出された映像情報を記録し、画像印刷手段１０は、記憶媒体から読み出されたフレームＦに対応する画像Ｓ4を印刷することを特徴とする。
【０１１６】
テレビジョン放送の映像信号を映像信号入力手段２で外部より入力するとともに、映像信号に含まれる少なくとも１つのフレームＦをフレーム抽出手段８０で抽出し、上記映像信号に対応した映像情報と上記抽出したフレームＦ（又はこれに対応する画像情報）とを互いに関連づけた形で第６記憶処理手段１４で記憶媒体に記憶させる。そして、この記憶媒体から読み出された映像情報を映像記録手段５で記録媒体Ｄに記録するとともに、記憶媒体Ｄから読み出されたフレームＦに対応した画像Ｓ4を画像印刷手段１０で印刷することにより、記録媒体Ｄに記録された映像の内容を視覚的に鮮明に表示し操作者に確実に認知させることができるとともに、ラベル貼り付け間違いによる映像内容と表示内容との不一致が生じるのを確実に防止できる。
【０１１７】
（１０）ハードディスクに記憶し、読み出すときに画像を取得する場合
上記（９）の変形例では映像情報をハードディスクに書き込むときに、対応する画像Ｓ4を関連づけて書き込みを行ったが、これに限られない。すなわち映像情報のみをハードディスクに書き込み、これを読み出して記録媒体Ｄに記録するときに画像Ｓ4を取得するようにしてもよい。
【０１１８】
本変形例のハード構成は上記（９）の変形例と同等である。また本変形例のシステム制御部５０が実行する制御手順では、前述の図５のステップＳ１０が省略され、またステップＳ２０における制御内容が別の手順(ステップＳ２５Ａ、但し図示省略)に置き換わり、さらにステップＳ３０における制御内容が若干異なる。
【０１１９】
すなわち、ステップＳ５でＴＶ受信機２で受信され映像・音声エンコーダ部４でエンコードされた映像信号及び音声信号を取り込んだ後は、上記ステップＳ１００へ移り、ディスク管理部１３へ制御信号を出力し、ステップＳ５で受信され映像・音声エンコーダ部４でエンコードされた映像信号及び音声信号に対応した映像情報及び音声情報をハードディスクドライブ１４によってハードディスクへ書き込む。
【０１２０】
一方、ステップＳ１１０でディスク管理部１３へ制御信号を出力し、上記ステップＳ１００でハードディスクへ書き込まれ格納保持されていた映像・音声情報をハードディスクドライブ１４によってハードディスクから読み出した後は、上記ステップＳ２５Ａへ移る。
【０１２１】
ステップＳ２５Ａでは、前述と同様、ＴＶ受信機２で受信され映像・音声エンコーダ部４でエンコードされた放送波Ｅから少なくとも１つのフレームＦを切り出す（抽出する）。その後、上記ステップＳ３０では、前述と同様、画像メモリ１２から画像が取得できたかどうかの判定に代え、上記ステップＳ２５ＡにおいてフレームＦ（１つの番組に対し１つには限られず、複数が対応付けられていてもよい）を切り出し取得できたかどうかを判定する。対応するフレームＦを切り出せた場合は判定が満たされ、ステップＳ４０に移る。その後、ステップＳ４０以降は上記図５と同様なので説明を省略する。
【０１２２】
本変形例における記録装置１においては、映像信号入力手段２で入力した映像信号に対応した映像情報を記憶媒体に記憶させる第７記憶処理手段（この例ではハードディスクドライブ）１４を有し、映像記録手段５は、記憶媒体から読み出された映像情報を記録し、フレーム抽出手段８０は、記憶媒体から読み出された映像情報に含まれるフレームＦを抽出し、画像印刷手段１０は、フレーム抽出手段８０で抽出したフレームＦに対応した画像Ｓ4を印刷することを特徴とする。
【０１２３】
テレビジョン放送の映像信号を映像信号入力手段２で外部より入力し、上記映像信号に対応した映像情報を第７記憶処理手段１４で記憶媒体に記憶させる。そして、この記憶媒体から読み出された映像情報を映像記録手段５で記録媒体に記録するとともに、読み出された映像情報に含まれる少なくとも１つのフレームＦをフレーム抽出手段８０で抽出し、この抽出したフレームＦに対応した画像Ｓ4を画像印刷手段１０で印刷することにより、記録媒体Ｄに記録された映像の内容を視覚的に鮮明に表示し操作者に確実に認知させることができるとともに、ラベル貼り付け間違いによる映像内容と表示内容との不一致が生じるのを確実に防止できる。
【０１２４】
また、このように記憶媒体にから映像情報を読み出して記録するときに、映像情報からフレームＦを抽出して印刷する方式とすることで、記録媒体Ｄに記録すべきとして操作者により指定された映像に対してのみフレーム抽出を行うこととなるので、不必要な動作を省き制御の簡素化を図ることができる。
【０１２５】
上記実施形態における記録装置１は、記録媒体Ｄに映像情報を記録するメディア書き込み部５と、このメディア書き込み部５で記録媒体Ｄに記録された映像情報に対応付けられた画像Ｓ1を記録媒体Ｄに印刷する印刷部１０とを有する。
【０１２６】
映像情報がメディア書き込み部５によって記録媒体Ｄに記録されると、その映像情報に対応付けられた画像Ｓ1が、印刷部１０によって記録媒体Ｄに印刷される。これにより、記録媒体Ｄに記録された映像の内容を視覚的に鮮明に表示することができ、操作者に確実に認知させることができる。また、記録媒体Ｄに印刷することにより、ラベルを貼り付ける場合のように貼り付け間違いによる映像内容と表示内容との不一致が生じるのを確実に防止できる。また、操作者が自分で作成・撮影した画像を画像メモリ１２に記憶させれば、操作者オリジナルの画像も容易に印刷することができる。
【図面の簡単な説明】
【０１２７】
【図１】本発明の一実施形態の記録装置の機能内容を概念的に表す説明図である。
【図２】図１に示した記録装置の機能的構成を表す機能ブロック図である。
【図３】図２に示したシステム制御部が実行する制御手順を表すフローチャートである。
【図４】取得した画像とともに一旦ハードディスクに記憶する変形例のシステム制御部が実行する制御手順を表すフローチャートである。
【図５】ハードディスクに記憶し、読み出すときに画像を取得する変形例のシステム制御部が実行する制御手順を表すフローチャートである。
【図６】画像サーバより画像を取得する変形例の記録装置の機能内容を概念的に表す説明図である。
【図７】記録装置の機能的構成を表す機能ブロック図である。
【図８】多重放送波に画像信号を含ませ、画像を抽出取得する変形例の記録装置の機能内容を概念的に表す説明図である。
【図９】記録装置の機能的構成を表す機能ブロック図である。
【図１０】放送波映像信号のフレームを切り出して画像を取得する変形例の記録装置の機能内容を概念的に表す説明図である。
【図１１】記録装置の機能的構成を表す機能ブロック図である。
【符号の説明】
【０１２８】
１                記録装置
２                ＴＶ受信機（映像信号入力手段；画像信号入力手段）
５                メディア書き込み部（映像記録手段）
１０              印刷部（画像印刷手段）
１２              画像メモリ（画像記憶手段）
１４              ハードディスクドライブ（第１〜第７記憶処理手段）
５０              システム制御部（画像選択手段、表示信号生成手段；画像
要求出力手段）
６０              画像サーバ（サーバ）
６２              インターネット接続部（画像信号入力手段）
８０              フレーム抽出部（フレーム抽出手段）
Ｄ                記録媒体
Ｄ1〜Ｄ4          画像付き記録媒体
Ｆ                フレーム
Ｓ1〜Ｓ4          画像
【図１】
2009049446.tif 000003
【図２】
2009049446.tif 000004
【図３】
2009049446.tif 000005
【図４】
2009049446.tif 000006
【図５】
2009049446.tif 000007
【図６】
2009049446.tif 000008
【図７】
2009049446.tif 000009
【図８】
2009049446.tif 000010
【図９】
2009049446.tif 000011
【図１０】
2009049446.tif 000012
【図１１】
2009049446.tif 000013